(57)【特許請求の範囲】
【請求項１】
血管の管腔内へ挿入可能な血管フィルタシステムであって、前記システムは、
ａ）近位端部、遠位端部及びこれらの間に延びる複数のストラットを備えたフィルタを有し、前記フィルタは、前記管腔内へ挿入可能な第１の小さな直径及び前記管腔の直径に実質的に等しい直径まで拡張可能であり、前記管腔とほぼ密封関係をなす第２の大きな直径を有し、
ｂ）前記フィルタの前記遠位端部及び前記複数のストラットに連結された多孔質フィルタメンブレンを有し、
ｃ）前記フィルタと作動的に連係した配備及び解放手段を有し、前記配備及び解放手段は、前記フィルタを前記血管の前記管腔内の特定の位置に位置決めして前記フィルタが前記第２の大きな直径を達成するようにし、前記配備及び解放手段は、近位端部、遠位端部及び内側ルーメンを備えた貯蔵管を有し、前記フィルタの前記遠位端部は、前記貯蔵管の前記近位端部内へ摺動自在に挿入可能であり、前記配備及び解放手段は、外径、内径、近位端部、遠位端部及び内側ルーメンを備えたカテーテルを更に有し、前記貯蔵管の前記遠位端部は、前記カテーテルの前記近位端部内へ摺動自在に挿入可能な前記フィルタを収容し、前記配備及び解放手段は、外径、近位端部及び遠位端部を備えた栓子を更に有し、前記栓子の前記遠位端部は、前記栓子の前記遠位端部が前記フィルタの前記近位端部に実質的に接触し、前記栓子が前記フィルタを前記カテーテルの前記ルーメンを通って前記カテーテルの前記近位端部に押し込み、そして前記カテーテルの前記遠位端部から押し出すよう位置決めされるまで前記貯蔵管の前記近位端部内へ摺動自在に挿入可能であり、
ｄ）前記フィルタと連係した移動防止手段を有し、前記移動防止手段は、前記フィルタが前記血管の前記管腔内で実質的に静止したままであるようにし、前記移動防止手段は、前記ストラットに取り付けられたフックから成り、
ｅ）前記フィルタと作動的に連係した回収手段を有し、前記回収手段は、前記フィルタの再捕捉を可能にし、前記フィルタが前記第１の小さな直径を達成するようにし、前記管腔からの前記フィルタの取出しを可能にし、前記回収手段は、外径、近位端部及び遠位端部を備えたワイヤを有し、前記回収手段は、前記ワイヤの前記遠位端部の近くに取り付けられたボール及び前記フィルタの前記近位端部の近くに取り付けられたレシーバを更に有し、
前記貯蔵管の前記遠位端部は、前記カテーテルの前記近位端部に挿入されることを特徴とする血管フィルタシステム。
【発明の詳細な説明】
【０００１】
【発明の属する技術分野】
本発明は、血管疾患の治療に関し、特に、種々の医療的手技の際に用いられる血管フィルタシステムに関する。
【０００２】
【従来の技術】
経皮経管的冠動脈形成術（ＰＴＣＡ）、ステント留置術及びアテレクトミーは、冠動脈を通る血液の流れを増加させるのに用いられる治療上の医療手技である。これら手技は、冠動脈バイパス手術に代わる手段として行われる場合が多い。経皮経管的動脈形成術（ＰＴＡ）及びステント留置術は、頸動脈内膜切除術及び大腿膝蓋動脈バイパス術に代わる手段として行われる場合が多い。ＰＴＣＡ術又はＰＴＡ術では、血管形成用バルーンを狭窄状態の血管内において閉塞部のところで膨らませる。その目的は、拡開した管腔を得るために血管の壁部分を剪断したり分断させることにある。ステント留置術では、管腔内プロテーゼを血管内に植え込んで術後に開存性を維持する。アテレクトミーでは、回転ブレードを用いてプラークを動脈壁から剪断する。
【０００３】
これら全ての手技と関連した問題のうちの１つは、血管の処置中に生じるプラーク、血栓又は他の塞栓粒子の偶発的な脱離であり、それにより下流側の細い血管が潜在的に閉塞し、これが原因となって血管が血液を供給する器官の虚血又は梗塞が生じる場合がある。かかる塞栓は、患者にとって極めて危険な場合があり、かかる塞栓の結果として、心筋梗塞、発作又は肢の虚血が生じる場合がある。１９９５年、ワックスマン（Waksman）等は、方向性アテレクトミーの実施後、冠動脈及び伏在静脈グラフト中に遠位塞栓化を見掛けることが多い旨、公表した。これについては、非特許文献１を参照されたい。この研究により、遠位塞栓化がアテレクトミーを受けた患者のうち２８％（１１１症例のうち３１症例）で生じたことが判明した。１９９９年１月、ジョーダン・ジュニア（Jordan, Jr.）等は、ステント留置術を含む経皮血管形成術を利用した頸動脈狭窄症の治療結果が頸動脈内膜切除術を用いた場合に見受けられる小塞栓化率の８倍以上に関係している旨、公表した。これについては、非特許文献２を参照されたい。この研究における経頭蓋ドップラーモニタ法によって検出される小塞栓化は、潜在的な発作の原因であることが示された。塞栓物質としては、カルシウム、内膜デブリ、じゅく状斑及び血栓が挙げられる。
【０００４】
特許文献１及び特許文献２に記載されているように、従来技術において、種々の血管フィルタ、特に大静脈フィルタが周知である。また、血管フィルタの種々の設計を記載し、その臨床的及び実験的使用の結果を報告している医学文献がかなり多く存在する。例えば、非特許文献３を参照されたい。また、非特許文献４を参照されたい。
【０００５】
患者が周術期中に生じた血餅に起因して肺塞栓症にかかる恐れが認められる場合、多くは手術後の期間の間、血管フィルタが用いられる場合が多い。肺塞栓症は、これら血餅が肺に達したときに生じる深刻且つ潜在的に致命的な状態である。したがって、フィルタは典型的には、血餅が肺に達する前に血餅を捕捉するために大静脈中に配置される。
【０００６】
従来技術の血管フィルタの多くは、患者の静脈系中に永久植込みされ、したがってフィルタの必要が無くなった後でも、フィルタは患者の一生にわたって定位置に留まるようになる。特許文献３は、下大静脈内に経静脈的に永久植込みされるステンレス鋼製濾過器具を記載している。この濾過器具は、再発性の肺塞栓症を治療することを目的としている。永久植込み法は医学的に見て望ましくないと考えられることが多いが、これが行われている理由は、フィルタが潜在的に生命を脅かす状況に応じて患者の体内に植え込まれるからである。
【０００７】
永久植込みを回避するため、血管形成術、ステント留置術及び他の手技と関連のある塞栓化を防止する器械及び方法を提供することが非常に望ましい。特に、血管形成術、ステント留置術又は他の手技の実施中に脱離したプラーク、血栓及び他の塞栓粒子を収集して回収するために血管系内に一時的に配置できる器具を提供することが望ましい。かかる器具は、手技の終わりで取り出される。特許文献４及び特許文献５は、フィルタが、風見用円錐筒に似ていて、１以上の関節式フープ（輪）状支持体によって支持されたガイドワイヤ利用型フィルタを記載している。特許文献６及び特許文献７は、フィルタが流体又はガスの導入により所定の直径に拡張するガイドワイヤ利用型フィルタ器具を記載している。特許文献８及び特許文献９は、フィルタの直径がシースをフィルタ構成部品上でこれに沿って前進させたり引っ込めることにより制御されるガイドワイヤ利用型フィルタを記載している。
【０００８】
上述した方法の有効性にもかかわらず、これら器具と通常関連した１つの問題は、ガイドワイヤが動くとフィルタが動く場合があり、それにより管腔の潜在的な損傷が生じると共に手技中に捕捉された塞栓粒子の放出の恐れがあるということである。これら器具と通常関連したもう１つの問題は、フィルタ及びガイドワイヤが、単一のユニットをなしているということにある。したがって、臨床的処置の上首尾の完了に必要な場合のあるガイドワイヤの交換を行うことができない。
【０００９】
従来技術に鑑みて、臨床的処置中のフィルタの動きを最小限に抑え又は実質的に無くすという臨床上の課題を解決するのに用いることができる血管フィルタシステムは未だ開示されておらず、かかる血管フィルタシステムが依然として要望されている。また、従来技術に鑑みて、臨床的処置の上首尾の完了に必要な場合のあるガイドワイヤの交換を可能にするという課題を解決するのに用いることができる血管フィルタも又、未だ開示されておらず、依然としてかかる血管フィルタが要望されている。
【００１０】
【特許文献１】
米国特許第４，７２７，８７３号明細書
【特許文献２】
米国特許第４，６８８，５５３号明細書
【特許文献３】
米国特許第３，９５２，７４７号明細書
【特許文献４】
米国特許第６，１７９，８６１号明細書
【特許文献５】
米国特許第６，００１，１１８号明細書
【特許文献６】
米国特許第５，８１４，０６４号明細書
【特許文献７】
米国特許第５，８２７，３２４号明細書
【特許文献８】
米国特許第６，１６８，６０４号明細書
【特許文献９】
米国特許第６，１５２，９４６号明細書
【非特許文献１】
ワックスマン他著，“アメリカン・ハート・ジャーナル１２９（３）”，（米国），１９９５年，４３０頁乃至４３５頁（Waksman et al., American Heart Journal 129(3):430-5(1995)）
【非特許文献２】
ジョーダン・ジュニア等著，“カーディオバスキュラー・サージェリイ７（１）”，（米国），１９９９年，３３頁乃至３８頁（Jordan, Jr. et al. Cardiovascular Surgery 7(1):33-8(1999)）
【非特許文献３】
アイケルター，シェンク著，“プロフィラキシス・オブ・パルモナリー・エンボリズム”，（米国），アーチーブズ・ノブ・サージェリー，第９７巻，１９６８年８月（Eichelter, Schenk, Prophylaxis of Pulmonary Embolism, Archives of Surgery, Vol. 97, August, 1968）
【非特許文献４】
グリーンフィールド他著，“ア・ニュー・イントラカバル・フィルター・パーミッティング・アンド・レゾリューション・オブ・エンボリ”，（米国），サージェリー，第７３巻第４号，１９７３年（Greenfield, et al., A New Intracaval Filter Permitting Continued Flow and Resolution of Emboli, Surgery, Vol. 73, No. 4, 1973）
【００１１】
発明の概要
概要を上述したように、本発明は、臨床的処置中のフィルタの動きを最小限に抑え又は実質的に無くすという臨床上の課題及び臨床的処置の上首尾の完了に必要な場合のあるガイドワイヤの交換を可能にするという課題を解決するのに用いることができる解放可能且つ回収可能な血管フィルタシステムを提供する。
【００１２】
本発明の目的は、非係留状態のフィルタを、手技中静止したままである閉塞部又は必要なインターベンションの場所の遠位側の位置で血管の管腔内へ配置する解放可能且つ回収可能な血管フィルタシステムを提供することにある。フィルタシステムは、移動防止手段を備えたフィルタと、配備及び解放可能な機構と、回収器具とを有している。フィルタ配備及び解放機構は、管腔内への正しいフィルタの配置を可能にする。配備機構は又、フィルタが管腔の直径に実質的に等しいその第２の大きな直径に拡張することができるようにすると共にかかるフィルタをルーメンとほぼ密封関係をなして配置できるようにする。移動防止手段は、フィルタが手技中、血管の管腔内で実質的に静止したままであるようにする。フィルタは、ガイドワイヤによっては係留されておらず、したがってガイドワイヤが動いてもフィルタが動くことはない。フィルタは、定位置に位置したまま、手技中に放出される場合のある塞栓粒子を捕捉する。本発明の別の目的は、フィルタの邪魔にならず、又はこれを動かさないで、必要に応じて手技全体にわたってガイドワイヤの交換を行うことができるようにすることにある。この場合、回収器具が、フィルタを再捕捉し、潰し、そして塞栓粒子が中に捕捉された状態のフィルタをルーメンから取り出すために利用される。
【００１３】
一特徴によれば、本発明は、血管の管腔内へ挿入できる解放可能且つ回収可能な血管フィルタシステムであって、管腔内へ挿入可能な第１の小さな直径及び管腔の直径に実質的に等しい直径まで拡張可能であり、管腔とほぼ密封関係をなす第２の大きな直径を有する血管フィルタを有するシステムに関する。このシステムは、フィルタに取り付けられた多孔質フィルタメンブレンと、フィルタを血管の管腔内へ位置決めしてフィルタが第２の大きな直径を達成するようにする配備及び解放機構と、フィルタが血管の管腔内で実質的に静止したままであるようにする移動防止特徴部と、フィルタの再捕捉を可能にし、フィルタが第１の小さな直径を達成するようにし、管腔からのフィルタの取出しを可能にする回収器具とを更に有する。
【００１４】
別の特徴によれば、本発明は、血管の管腔内へ挿入できる解放可能且つ回収可能な血管フィルタシステムであって、配備及び解放機構が、近位部分、遠位部分及び内側ルーメンを備えた貯蔵管を有するシステムに関する。配備及び解放機構は、外径、内径、近位端部、遠位端部及び内側ルーメンを備えたカテーテルを更に有し、貯蔵管の遠位端部は、カテーテルの近位端部内へ摺動自在に挿入可能なフィルタを収容する。配備及び解放機構は、外径、近位端部及び遠位端部を備えた栓子を更に有し、栓子の遠位端部は、栓子の遠位端部がフィルタの近位端部に実質的に接触し、栓子がフィルタをカテーテルのルーメンを通ってカテーテルの近位端部に押し込み、そしてカテーテルの遠位端部から押し出すよう位置決めされるまで貯蔵管の近位端部内へ摺動自在に挿入可能である。
【００１５】
別の特徴によれば、本発明は、血管の管腔内へ挿入できる解放可能且つ回収可能な血管フィルタシステムであって、配備及び解放機構が、外径、内径、近位端部、遠位端部及び内側ルーメンを備えたカテーテルを有するシステムに関する。配備及び解放機構は、外径、近位端部及び遠位端部を備えたシャフトを更に有し、フィルタは、シャフトの遠位端部の近くに解放自在に取り付けられたり、これから取り外しでき、カテーテルは、シャフト及びフィルタの周りに同軸状に配置され、カテーテルがフィルタを配備するよう摺動自在に引っ込められるようになっている。
【００１６】
別の特徴によれば、本発明は、血管の管腔内へ挿入できる解放可能且つ回収可能な血管フィルタシステムであって、配備及び解放機構が、ガイドワイヤを有し、フィルタの近位端部は、ガイドワイヤの遠位端部の近くに解放自在に取り付けられたり、これから取り外しできるシステムに関する。配備及び解放機構は、外径、内径、近位端部、遠位端部及び内側ルーメンを備えたカテーテルを更に有し、ガイドワイヤの近位端部は、カテーテルがガイドワイヤ及びフィルタの周りに同軸状に配置され、カテーテルがフィルタを配備するよう摺動自在に引っ込められるまでカテーテルの遠位端部内へ摺動自在に挿入可能である。
【００１７】
別の特徴によれば、本発明は、血管の管腔内へ挿入できる解放可能且つ回収可能な血管フィルタシステムであって、移動防止特徴部がニッケル−チタン合金で作られているシステムに関する。
【００１８】
別の特徴によれば、本発明は、血管の管腔内へ挿入できる解放可能且つ回収可能な血管フィルタシステムであって、移動防止特徴部がストラットに取り付けられたフックから成るシステムに関する。
【００１９】
別の特徴によれば、本発明は、血管の管腔内へ挿入できる解放可能且つ回収可能な血管フィルタシステムであって、移動防止特徴部がストラットの幾何学的設計から得られる摩擦力から成るシステムに関する。
【００２０】
別の特徴によれば、本発明は、血管の管腔内へ挿入できる解放可能且つ回収可能な血管フィルタシステムであって、移動防止特徴部がフィルタ支持構造体に設けられた摩擦被膜から成るシステムに関する。
【００２１】
別の特徴によれば、本発明は、血管の管腔内へ挿入できる解放可能且つ回収可能な血管フィルタシステムであって、移動防止特徴部がフィルタ支持構造体に施された表面処理剤から成るシステムに関する。
【００２２】
別の特徴によれば、本発明は、血管の管腔内へ挿入できる解放可能且つ回収可能な血管フィルタシステムであって、回収器具が、罠掛け部と、フィルタの近位端部に設けられた罠掛け可能な特徴部とから成るシステムに関する。
【００２３】
別の特徴によれば、本発明は、血管の管腔内へ挿入できる解放可能且つ回収可能な血管フィルタシステムであって、回収器具が、外径、近位端部及び遠位端部を備えたワイヤと、ワイヤの遠位端部の近くに取り付けられたフックと、フィルタの近位端部の近くに取り付けられたフックとを更に有しているシステムに関する。
【００２４】
別の特徴によれば、本発明は、血管の管腔内へ挿入できる解放可能且つ回収可能な血管フィルタシステムであって、回収器具が、外径、近位端部及び遠位端部を備えたワイヤと、ワイヤの遠位端部の近くに取り付けられたボールと、フィルタの近位端部の近くに取り付けられたレシーバとを更に有するシステムに関する。
【００２５】
別の特徴によれば、本発明は、血管の管腔内へ挿入できる解放可能且つ回収可能な血管フィルタシステムであって、回収器具が、フィルタに着脱自在なガイドワイヤを有するシステムに関する。
【００２６】
本発明の利点は、フィルタの移動防止手段により、フィルタが手技中、ルーメン内に静止したままであり、それにより管腔の潜在的な損傷の恐れが最小限に抑えられると共に手技中に捕捉された塞栓粒子の放出の恐れが最小限に抑えられることにある。本発明の別の利点は、フィルタとガイドワイヤが一体ユニットをなしておらず、したがってオペレータは臨床的処置の上首尾の完了に必要な場合のあるガイドワイヤの自由な交換を行えるようになるということにある。図面についての簡単な説明が与えられているので、本発明の器械は、当業者には明らかになるはずである。
【００２７】
本発明の上記特徴及び他の特徴は、添付の図面と関連して本発明の詳細な説明を参照すると最もよく理解されよう。
【００２８】
【発明の実施の形態】
本発明の解放可能且つ回収可能な血管フィルタシステムは、ガイドワイヤが動くとフィルタが動き、それにより管腔の潜在的な損傷が生じると共に手技中に捕捉された塞栓粒子の放出の恐れがあるという臨床上の課題を解決するよう設計されている。本発明の解放可能且つ回収可能な血管フィルタシステムは又、臨床的処置の上首尾の完了に必要な場合のあるガイドワイヤの交換の必要性に取り組むよう設計されている。臨床的処置の種々の部分の際に、互いに異なる特性のガイドワイヤが必要になる場合があるのでガイドワイヤの交換が必要なことがある。例えば、ガイドワイヤのトルク掛け性及び操縦性が閉塞部位又は必要なインターベンションの部位に接近するために手技の初めに必要な場合がある。この場合、ガイドワイヤが他の処置器具のための導管として働くことが必要な場合、追加の支持体が手技中、後で必要になる場合がある。
【００２９】
解放可能且つ回収可能な血管フィルタシステムは、管腔内へ挿入可能な第１の小さな直径及び管腔の直径に実質的に等しい直径まで拡張可能であり、管腔とほぼ密封関係をなす第２の大きな直径を有する血管フィルタを有する。このシステムは、フィルタに取り付けられた多孔質フィルタメンブレンと、フィルタを血管の管腔内へ位置決めしてフィルタが第２の大きな直径を達成するようにする配備及び解放機構と、フィルタが血管の管腔内で実質的に静止したままであるようにする移動防止特徴部と、フィルタの再捕捉を可能にし、フィルタが第１の小さな直径を達成するようにし、管腔からのフィルタの取出しを可能にする回収器具とを更に有する。配備及び解放機構は、フィルタを、手技中静止したままである閉塞部又は必要なインターベンションの場所の遠位側の位置で血管の管腔内へ配置するのに利用される。配備及び解放機構は又、フィルタが管腔の直径に実質的に等しいその第２の大きな直径に拡張することができるようにすると共にかかるフィルタをルーメンとほぼ密封関係をなして配置できるようにする。移動防止特徴部は、フィルタが手技中、血管の管腔内で実質的に静止したままであるようにする。フィルタは、ガイドワイヤによっては係留されておらず、したがってガイドワイヤが動いてもフィルタが動くことはない。フィルタは、定位置に位置したまま、手技中に放出される場合のある塞栓粒子を捕捉する。この場合、回収器具が、フィルタを再捕捉し、潰し、そして塞栓粒子が中に捕捉された状態のフィルタをルーメンから取り出すために利用される。
【００３０】
本発明は多数の例示の実施形態で実施できるが、説明の便宜上、１つの例示の実施形態を詳細に説明する。図面を参照し（図中、同一の符号は同一の要素を示している）、図１には、本発明に従って構成された解放可能且つ回収可能な血管フィルタシステムが示されている。解放可能且つ回収可能な血管フィルタシステムは、近位端部２０、遠位端部３０及びこれら端部相互間に延びる複数のストラット４０を備えたフィルタ１０を有している。フィルタは、フィルタの遠位端部３０及び複数のストラット４０に取り付けられた多孔質フィルタメンブレン５０を更に備えている。多孔質フィルタメンブレン５０の長さは、複数のストラット４０の長さよりも短いのがよい。フィルタは、管腔内へ挿入可能な小さな第１の直径及び管腔の直径に実質的に等しい直径まで拡張可能であり、管腔とほぼ密封関係をなす図１に示すような大きな第２の直径を有している。フィルタは、フィルタ１０が管腔内で実質的に静止したままであるようにする移動防止手段を更に備えている。この例示の実施形態では、移動防止手段は、フィルタの構成材料としてのニッケル−チタン材料の不断の外向きの力から成る。
【００３１】
解放可能且つ回収可能な血管フィルタシステムは、フィルタを血管の管腔内に位置決めし、フィルタがその第２の大きな直径を達するようにする配備及び解放機構を更に有している。この例示の実施形態では、配備及び解放機構は、近位端部８０、遠位端部９０及び内側ルーメン９５を備えた図２に示すようなカテーテル７０を有している。配備及び解放機構は、近位端部１１０及び遠位端部１２０を備えた栓子１００を更に有し、近位端部１２０はカテーテルの近位端部８０内へ摺動自在に挿入できる。図３に示すように、解放可能且つ回収可能な血管フィルタシステムは、近位端部６４及び遠位端部６６を備えた貯蔵管６５を更に有している。フィルタ１０の遠位端部３０を潰した状態で貯蔵管の近位端部６４内へ摺動自在に挿入し、貯蔵管６５が図３に示すようにフィルタ１０の周りに同軸状に配置されるまで前進させるのがよい。次に、貯蔵管の遠位端部６６をカテーテル８０の近位端部に摺動自在に挿入する。この時点で、図４に示すように、栓子１００の遠位端部１２０を貯蔵管６５の近位端部６４に摺動自在に挿入し、栓子の遠位端部１２０が実質的にフィルタの近位端部２０と接触するまで前進させるのがよい。次に、フィルタ１０が図４（Ａ）に示すようにカテーテル７０を通ってカテーテルの近位端部８０に押し込まれ、そして図４（Ｂ）に示すようにカテーテルの遠位端部９０から押し出されるまで栓子を更に前進させる。すると、フィルタ１０は拡張して図４（Ｂ）に示すように第２の大きな直径を達成し、フィルタの構成材料であるニッケル−チタン合金の不断の外向きの力で管腔内に位置決めされ、フィルタ１０が管腔内に静止状態のままになる。
【００３２】
解放可能且つ回収可能な血管フィルタシステムは、フィルタを再捕捉し、フィルタが小さな第１の直径を達成するようにし、そしてフィルタを管腔から取り出す回収器具を更に有している。この例示の実施形態では、回収器具は、図５に示すようにボールフック型回収システムから成る。ボールフック型回収システム１３０は、近位端部１５０及び遠位端部１６０を備えたワイヤ１４０を有し、ワイヤ１４０の遠位端部の近くには湾曲部１６５が設けられ、ワイヤの遠位端部１６０の近くにはボール１７０が取り付けられている。ボールフック型回収システムは、図６に示すようにフィルタ１０の近位端部２０の近くに設けられたレシーバ１８０を更に有している。レシーバ１８０に接近するには、図７に示すようにボール１７０をフィルタ１０のストラット４０の間に挿入する。次に、ワイヤ１４０及びフィルタ１０をカテーテル７０内へ引き戻す。フィルタ１０は、図８に示すように潰れ、次にカテーテル７０を通してかかるフィルタを引き抜くのがよい。
【００３３】
図１、図２、図３、図４（Ａ）、図４（Ｂ）、図５、図６、図７及び図８に示すように、解放可能且つ回収可能な血管フィルタシステムは、血管フィルタを血管の管腔内へ導入し、配備し、そして解放し、次に血管フィルタを血管の管腔から回収するのに使用できる。カテーテル７０を、カテーテルの遠位端部９０が血管中の閉塞部の場所を越えて位置決めされるまで血管の管腔内へ導入するのがよい。次に、フィルタ１０の遠位端部３０を貯蔵管が図３に示すようにフィルタを完全に覆うまで貯蔵管６５の近位端部６４に挿入する。この時点において、貯蔵管の遠位端部６６を図３に示すようにカテーテル７０の近位端部内へ挿入する。次に、栓子１００の遠位端部１２０を貯蔵管の近位端部６４内へ挿入し、そしてこれがフィルタの近位端部２０と実質的に接触するまで前進させる。栓子１００を引き続き前進させ、ついにはフィルタ１０がカテーテル７０の近位端部８０を通り、カテーテル７０を通り、そして図４（Ｂ）に示すようにカテーテルの遠位端部９０から押し出されるようにする。すると、フィルタ１０は、図４（Ｂ）に示すようにその第２の大きな直径を達成し、この例示の実施形態では、フィルタの構成材料であるニッケル−チタン合金の不断の外向きの力の形態をした移動防止手段により、フィルタは手技中、管腔内で実質的に静止したままとなることができる。フィルタは、手技中に生じた塞栓粒子を捕捉する。また、フィルタ１０が非係留状態なので、オペレータは手技の初めから終わりまで何時でも必要に応じてガイドワイヤの交換を行うことができる。インターベンショナル手技の完了後、この例示の実施形態ではボールフック型回収システム１３０の形態をした回収器具を図５に示すようにカテーテル７０中へ導入する。ボール１７０がいったんカテーテルの遠位端部９０から出ると、このボールをこれが図７に示すようにレシーバ１８０と結合するまでフィルタストラット４０の間に挿入する。次に、ワイヤ１４０をカテーテル７０中へ引き戻し、フィルタ１０がいったんカテーテル７０に入ると潰れるようにする。次に、塞栓粒子がフィルタ１０内に捕捉された状態で、フィルタ１０を身体から抜去するのがよい。
【００３４】
フィルタ１０は、任意適当な材料から構成でき、好ましくは、ニッケル−チタン合金から構成される。フィルタ１０は、ストラット４０の中点の近くに取り付けられた少なくとも１つのマーカバンド及びフィルタの遠位端部３０の近くに取り付けられた少なくとも１つのマーカバンド及びフィルタの近位端部２０の近くに取り付けられた少なくとも１つのマーカバンドを有している。フィルタ１０は、器具の放射線不透過性を高めるための被膜又は他の任意適当な手段を更に有するのがよい。多孔質フィルタメンブレン５０を任意適当な材料から構成でき、好ましくは、ポリウレタン、ポリエチレン又はそのコポリマーから成る群から選択され、エラストマーとしての性質又はゴム弾性を備える軟質ポリマー材料から作られる。多孔質フィルタメンブレン５０は、任意の数及び任意の形状の細孔を有するのがよく、好ましくは、孔径が約２０ミクロン乃至約３００ミクロンの細孔を有する。細孔を任意適当な手段で作ることができ、好ましくはレーザ穿孔によって作る。貯蔵管６５は、任意適当な材料から構成でき、好ましくは、ポリマー材料から構成される。フィルタ１０を使用時点で貯蔵管６５内へ装填してもよく、或いは多孔質フィルタメンブレン５０が永久歪を生じない適当な材料で作られている場合には、かかるフィルタを前もって装填してもよい。カテーテル７０は、任意適当な材料から構成でき、好ましくは、ポリマー材料から構成される。栓子１００は、任意適当な材料から構成でき、好ましくは、ポリマー材料から構成される。
【００３５】
移動防止器具は、任意適当な形態のものであってよく、かかる形態としては、フック、突刺（又はとげ）（図９（Ａ））、弓状部（図９（Ｂ））、ジグザグ部（図９（Ｃ））、ディンプル（図９（Ｄ））及び正方形突刺又はとげ（図９（Ｅ））が挙げられる。また、移動防止特徴部は、図１に示すようにフィルタの構成材料であるニッケル−チタン合金により得られる不断の外向きの力から成っていていてもよい。
【００３６】
配備及び解放機構は、図４（Ａ）及び図４（Ｂ）に示すように任意適当な形態をしていてもよく、かかる形態としては、上述し、そして図１０及び図１４（Ｃ）に示すようなカテーテルと栓子から成る配備システムが挙げられる。図１０では、カテーテル７０は、シャフト２００の周りに同軸状に設けられ、フィルタ１０はシャフト２００の遠位端部の近くに取り付けられている。システムが血管の管腔内の閉塞部の遠位側の位置にあるとき、カテーテル７０を引っ込めるのがよく、それにより図１１に示すようにフィルタ１０が大きな第２の直径を達成して血管の管腔とほぼ密封関係をなすようにする。次に、シャフト２００を図１２に示すように引っ込めてフィルタを解放するのがよい。図１３（Ａ）では、カテーテル７０は、シース２１５及びガイドワイヤ２１０の周りに同軸状に設けられ、フィルタ１０はガイドワイヤ２１０の遠位端部の近く及びフィルタ１０の近位端部の近くに取り付けられた互いにつがい関係又は嵌合関係をなす構造的特徴部（以下、「つがい特徴部」という）２２０，２３０によりガイドワイヤ２１０の遠位端部の近くに取り付けられている。システムが血管の管腔内の閉塞部の遠位側の位置にあるとき、カテーテル７０を引っ込めるのがよく、それにより図１３（Ｂ）に示すようにフィルタ１０が大きな第２の直径を達成して血管の管腔とほぼ密封関係をなすようにする。次に、図１３（Ｃ）に示すようにシース２１５を引っ込めてフィルタを解放することによりつがい特徴部２２０，２３０を互いに離脱させる。これらつがい特徴部は、任意適当な形態のものであるのがよく、好ましくは、図１４（Ａ）及び図１４（Ｂ）に示すようにボールと穴又はつがい関係をなすスロットである。また、つがい特徴部は、図１４（Ｃ）に示すように流体圧の作用で解除するものであってよく、この場合、シース２１５は、流体圧が注射器又は他の適当な手段により内周部に加えられると、シースの遠位部分の壁２１７が外方に拡張し、つがい特徴部２３０を互いに解除し、それ故、フィルタ１０を放出するという特性を示す。シャフトは、任意の数の適当な材料から構成でき、好ましくは、遠位端部のところが金属材料、近位端部のところがポリマー材料で作られる。シースは、任意適当な材料から構成でき、好ましくは、ポリマー材料から構成される。ワイヤは、任意適当な材料から構成でき、好ましくは、ニッケル−チタン合金から構成される。
【００３７】
回収器具は、任意適当な構成のものであってよく、かかる構成としては、図５、図６及び図７に示すようなボールフック型回収システム及び図１３（Ａ）、図１３（Ｂ）、図１３（Ｃ）及び図１４（Ａ）に示すようなつがい関係をなすフックシステムが挙げられる。回収器具は、図１５（Ａ）、図１５（Ｂ）及び図１５（Ｃ）に示すような罠掛け部２４０と、フィルタに設けられた罠掛け可能な特徴部２５０とから成っていてもよい。罠掛け部２４０を図１５（Ａ）、図１５（Ｂ）及び図１５（Ｃ）に示すようにカテーテル中へ導入する。罠掛け部２４０のループは、カテーテルから出て、フィルタ１０の罠掛け可能特徴部２５０に結合し、この罠掛け可能特徴部は、この例示の実施形態ではフックである。次に、罠掛け部２４０をカテーテル７０内へ引き戻し、フィルタ１０をカテーテル７０へ引きずり込み、そしてフィルタが図１５（Ｃ）に示すようにその小さな第１の直径を達成するようにする。罠掛け部は、任意適当な材料から構成でき、好ましくは、ニッケル−チタン合金から構成される。罠掛け可能特徴部は、図１６に示すように任意適当な形態をしていてもよく、かかる形態としては、フック、つまみ、スロット又はコイルが挙げられる。
【００３８】
好ましい実施形態であると考えられる形態を開示したが、当業者であれば、開示した特定の器械及び方法の種々の変形例を想到でき、これら変形例は、本発明の精神及び範囲から逸脱しない状態で利用できる。本発明は、開示した特定の構成には限定されず、特許請求の範囲に記載された本発明の範囲に属する全ての変形例を含むものである。
【００３９】
本発明の具体的な参考例は、以下の通りである。
（Ａ）血管の管腔内へ挿入可能な血管フィルタシステムであって、前記システムは、
ａ）近位部分、遠位部分及びこれらの間に延びる複数のストラットを備えたフィルタ支持構造体を有し、前記ストラットは、近位部分及び遠位部分を有し、前記フィルタは、前記管腔内へ挿入可能な第１の小さな直径及び前記管腔の直径に実質的に等しい直径まで拡張可能であり、前記管腔とほぼ密封関係をなす第２の大きな直径を有し、
ｂ）前記フィルタ遠位部分及び前記複数のストラットに連結された多孔質フィルタメンブレンを有し、
ｃ）前記フィルタ支持構造体と作動的に連係した配備及び解放手段を有し、前記配備及び解放手段は、前記フィルタを前記血管の前記管腔内へ位置決めして前記フィルタが前記第２の大きな直径を達成するようにし、
ｄ）前記フィルタ支持構造体と連係した移動防止手段を有し、前記移動防止手段は、前記フィルタが前記血管の前記管腔内で実質的に静止したままであるようにし、
ｅ）前記フィルタ支持構造体と作動的に連係した回収手段を有し、前記回収手段は、前記フィルタの再捕捉を可能にし、前記フィルタが前記第１の小さな直径を達成するようにし、前記管腔からの前記フィルタの取出しを可能にすることを特徴とする血管フィルタシステム。
（Ｂ）塞栓粒子を血管の管腔内に設けられた血管フィルタ内に捕捉する方法であって、
ａ）フィルタを準備する段階を有し、前記フィルタは、近位部分、遠位部分及びこれらの間に延びる複数のストラットを備えたフィルタ支持構造体を有し、前記フィルタは、前記管腔内へ挿入可能な第１の小さな直径及び前記管腔の直径に実質的に等しい直径まで拡張可能であり、前記管腔とほぼ密封関係をなす第２の大きな直径を有し、前記フィルタは、前記フィルタ遠位部分及び前記複数のストラットに連結された多孔質フィルタメンブレンを更に有し、前記フィルタは、前記フィルタが前記血管の前記管腔内で実質的に静止したままであるようにする移動防止手段を更に有し、前記フィルタは、前記フィルタを前記血管の前記管腔内へ位置決めして前記フィルタが前記第２の大きな直径を達成するようにする配備及び解放手段を更に有し、前記フィルタは、前記フィルタが前記第１の小さな直径を達成するようにし、前記フィルタを前記管腔から取り出す回収手段を更に有し、
ｂ）前記フィルタを前記管腔内の閉塞部を越えて配備し解放する段階を有し、
ｃ）追加のインターベンショナル器具を前記血管内に前進させ、前記インターベンショナル器具を前記血管内の前記閉塞部のところに位置決めする段階を有し、
ｄ）追加の手技を行って前記血管内の前記閉塞部に治療を施す段階を有し、
ｅ）前記手技により前記フィルタ内に生じた塞栓粒子を捕捉する段階を有し、
ｆ）前記インターベンショナル器具を前記ガイドワイヤから抜去する段階を有し、
ｇ）前記フィルタを回収する段階を有していることを特徴とする方法。
（Ｃ）血管の管腔内へ挿入可能な血管フィルタシステムであって、前記システムは、
ａ）近位部分、遠位部分及びこれらの間に延びる複数のストラットを備えたフィルタ支持構造体を有し、前記ストラットは、近位部分及び遠位部分を有し、前記フィルタは、前記管腔内へ挿入可能な第１の小さな直径及び前記管腔の直径に実質的に等しい直径まで拡張可能であり、前記管腔とほぼ密封関係をなす第２の大きな直径を有し、
ｂ）前記フィルタ遠位部分及び前記複数のストラットに連結された多孔質フィルタメンブレンを有し、
ｃ）前記フィルタ支持構造体と作動的に連係した配備及び解放手段を有し、前記配備及び解放手段は、前記フィルタを前記血管の前記管腔内の特定の位置に位置決めして前記フィルタが前記第２の大きな直径を達成するようにし、前記配備手段は、近位部分、遠位部分及び内側ルーメンを備えた貯蔵管を有し、前記フィルタの前記遠位端部は、前記貯蔵管の前記近位端部内へ摺動自在に挿入可能であり、前記配備手段は、外径、内径、近位端部、遠位端部及び内側ルーメンを備えたカテーテルを更に有し、貯蔵管の前記遠位端部は、前記カテーテルの前記近位端部内へ摺動自在に挿入可能な前記フィルタを収容し、前記配備手段は、外径、近位端部及び遠位端部を備えた栓子を更に有し、前記栓子の前記遠位端部は、前記栓子の前記遠位端部が前記フィルタの前記近位端部に実質的に接触し、前記栓子が前記フィルタを前記カテーテルの前記ルーメンを通って前記カテーテルの前記近位端部に押し込み、そして前記カテーテルの前記遠位端部から押し出すよう位置決めされるまで前記貯蔵管の前記近位端部内へ摺動自在に挿入可能であり、
ｄ）前記フィルタ支持構造体と連係した移動防止手段を有し、前記移動防止手段は、前記フィルタが前記血管の前記管腔内で実質的に静止したままであるようにし、前記移動防止手段は、前記ストラットに取り付けられたフックから成り、
ｅ）前記フィルタ支持構造体と作動的に連係した回収手段を有し、前記回収手段は、前記フィルタの再捕捉を可能にし、前記フィルタが前記第１の小さな直径を達成するようにし、前記管腔からの前記フィルタの取出しを可能にし、前記回収手段は、外径、近位端部及び遠位端部を備えたワイヤを有し、前記回収手段は、前記ワイヤの前記遠位端部の近くに取り付けられたボール及び前記フィルタの前記近位端部の近くに取り付けられたレシーバを更に有していることを特徴とする血管フィルタシステム。
（Ｄ）血管の管腔内へ挿入可能な血管フィルタシステムであって、前記システムは、
ａ）近位部分、遠位部分及びこれらの間に延びる複数のストラットを備えたフィルタ支持構造体を有し、前記ストラットは、近位部分及び遠位部分を有し、前記フィルタは、前記管腔内へ挿入可能な第１の小さな直径及び前記管腔の直径に実質的に等しい直径まで拡張可能であり、前記管腔とほぼ密封関係をなす第２の大きな直径を有し、
ｂ）前記フィルタ遠位部分及び前記複数のストラットに連結された多孔質フィルタメンブレンを有し、
ｃ）前記フィルタ支持構造体と作動的に連係した配備及び解放手段を有し、前記配備及び解放手段は、前記フィルタを前記血管の前記管腔内の特定の位置に位置決めして前記フィルタが前記第２の大きな直径を達成するようにし、前記配備手段は、ガイドワイヤを有し、前記フィルタの前記近位端部は、前記ガイドワイヤの前記遠位端部の近くに解放自在に取り付けたり、これから取り外しでき、前記配備手段は、外径、内径、近位端部、遠位端部及び内側ルーメンを備えたカテーテルを更に有し、前記ガイドワイヤの前記近位端部は、前記カテーテルが前記ガイドワイヤ及び前記フィルタの周りに同軸状に配置され、前記カテーテルが前記フィルタを配備するよう摺動自在に引っ込められるまで前記カテーテルの前記遠位端部内へ摺動自在に挿入可能であり、
ｄ）前記フィルタ支持構造体と連係した移動防止手段を有し、前記移動防止手段は、前記フィルタが前記血管の前記管腔内で実質的に静止したままであるようにし、前記移動防止手段は、摩擦被膜から成り、
ｅ）前記フィルタ支持構造体と作動的に連係した回収手段を有し、前記回収手段は、前記フィルタの再捕捉を可能にし、前記フィルタが前記第１の小さな直径を達成するようにし、前記管腔からの前記フィルタの取出しを可能にし、前記回収手段は、外径、近位端部及び遠位端部を備えたワイヤを有し、前記回収手段は、前記ワイヤの前記遠位端部の近くに取り付けられたフック及び前記フィルタの前記近位端部の近くに取り付けられたフックを更に有していることを特徴とする血管フィルタシステム。
（Ｅ）血管の管腔内へ挿入可能な血管フィルタシステムであって、前記システムは、
ａ）近位部分、遠位部分及びこれらの間に延びる複数のストラットを備えたフィルタ支持構造体を有し、前記ストラットは、近位部分及び遠位部分を有し、前記フィルタは、前記管腔内へ挿入可能な第１の小さな直径及び前記管腔の直径に実質的に等しい直径まで拡張可能であり、前記管腔とほぼ密封関係をなす第２の大きな直径を有し、
ｂ）前記フィルタ遠位部分及び前記複数のストラットに連結された多孔質フィルタメンブレンを有し、
ｃ）前記フィルタ支持構造体と作動的に連係した配備及び解放手段を有し、前記配備及び解放手段は、前記フィルタを前記血管の前記管腔内の特定の位置に位置決めして前記フィルタが前記第２の大きな直径を達成するようにし、前記配備手段は、外径、内径、近位端部、遠位端部及び内側ルーメンを備えたカテーテルを更に有し、前記配備手段は、外径、近位端部及び遠位端部を備えたシャフトを更に有し、前記フィルタは、前記シャフトの前記遠位端部の近くに取り付けられ、前記カテーテルは、前記シャフト及び前記フィルタの周りに同軸状に配置され、前記カテーテルが前記フィルタを配備するよう摺動自在に引っ込められるようになっており、
ｄ）前記フィルタ支持構造体と連係した移動防止手段を有し、前記移動防止手段は、前記フィルタが前記血管の前記管腔内で実質的に静止したままであるようにし、前記移動防止手段は、ニッケル−チタン合金の普段の外向きの力から成り、
ｅ）前記フィルタ支持構造体と作動的に連係した回収手段を有し、前記回収手段は、前記フィルタの再捕捉を可能にし、前記フィルタが前記第１の小さな直径を達成するようにし、前記管腔からの前記フィルタの取出しを可能にし、前記回収手段は、罠掛け部と、前記フィルタの前記近位端部に設けられた罠掛け可能な特徴部とから成ることを特徴とする血管フィルタシステム。
（Ｆ）塞栓捕捉血管フィルタに用いられる器具であって、前記フィルタと連係した移動防止手段を有し、前記移動防止手段は、前記フィルタが前記血管の前記管腔内に実質的に静止したままであるようにすることを特徴とする器具。
（Ｇ）塞栓を捕捉するガイドワイヤ利用型血管フィルタシステムに用いられる器具であって、前記フィルタと連係した移動防止手段を有し、前記移動防止手段は、前記フィルタが前記血管の前記管腔内に実質的に静止したままであるようにすることを特徴とする器具。
（Ｈ）塞栓捕捉血管フィルタに用いられる器具であって、前記フィルタと作動的に連係した回収手段を有し、前記回収手段は、前記フィルタの再捕捉及び前記管腔からの前記フィルタの取出しを可能にすることを特徴とする器具。
（１）前記フィルタ支持構造体は、ニッケル−チタン合金で作られていることを特徴とする参考例（Ａ）記載の血管フィルタシステム。
（２）前記移動防止手段は、前記ニッケル−チタン合金の不断の外向きの力から成ることを特徴とする実施態様（１）記載の血管フィルタシステム。
（３）前記フィルタ支持構造体は、器具の放射線不透過性を高める手段を更に有していることを特徴とする参考例（Ａ）記載の血管フィルタシステム。
（４）前記多孔質フィルタメンブレンは、ポリウレタン、ポリエチレン又はそのコポリマーから成る群から選択されたポリマー材料で作られていることを特徴とする参考例（Ａ）記載の血管フィルタシステム。
（５）前記多孔質フィルタメンブレンの孔径は、約２０ミクロン乃至約３００ミクロンであることを特徴とする実施態様（４）記載の血管フィルタシステム。
【００４０】
（６）前記配備手段は、近位部分、遠位部分及び内側ルーメンを備えた貯蔵管を有し、前記フィルタの前記遠位端部は、前記貯蔵管の前記近位端部内へ摺動自在に挿入可能であり、前記配備手段は、外径、内径、近位端部、遠位端部及び内側ルーメンを備えたカテーテルを更に有し、貯蔵管の前記遠位端部は、前記カテーテルの前記近位端部内へ摺動自在に挿入可能な前記フィルタを収容し、前記配備手段は、外径、近位端部及び遠位端部を備えた栓子を更に有し、前記栓子の前記遠位端部は、前記栓子の前記遠位端部が前記フィルタの前記近位端部に実質的に接触し、前記栓子が前記フィルタを前記カテーテルの前記ルーメンを通って前記カテーテルの前記近位端部に押し込み、そして前記カテーテルの前記遠位端部から押し出すよう位置決めされるまで前記貯蔵管の前記近位端部内へ摺動自在に挿入可能であることを特徴とする参考例（Ａ）記載の血管フィルタシステム。
（７）前記貯蔵管は、ポリマー材料で作られていることを特徴とする実施態様（６）記載の血管フィルタシステム。
（８）前記カテーテルは、ポリマー材料で作られていることを特徴とする実施態様（６）記載の血管フィルタシステム。
（９）前記栓子は、ポリマー材料で作られていることを特徴とする実施態様（６）記載の血管フィルタシステム。
（１０）前記配備手段は、外径、内径、近位端部、遠位端部及び内側ルーメンを備えたカテーテルを有し、前記配備手段は、外径、近位端部及び遠位端部を備えたシャフトを更に有し、前記フィルタは、前記シャフトの前記遠位端部の近くに解放自在に取り付けられたり、これから取り外しでき、前記カテーテルは、前記シャフト及び前記フィルタの周りに同軸状に配置され、前記カテーテルが前記フィルタを配備するよう摺動自在に引っ込められるようになっていることを特徴とする参考例（Ａ）記載の血管フィルタシステム。
【００４１】
（１１）前記カテーテルは、ポリマー材料で作られていることを特徴とする実施態様（１０）記載の血管フィルタシステム。
（１２）前記シャフトの前記遠位端部は、金属材料で作られ、前記シャフトの前記近位端部は、ポリマー材料で作られていることを特徴とする実施態様（１０）記載の血管フィルタシステム。
（１３）前記配備手段は、近位端部及び遠位端部を備えたガイドワイヤを有し、前記フィルタの前記近位端部は、前記ガイドワイヤの前記遠位端部の近くに解放自在に取り付けられたり、これから取り外しでき、前記配備手段は、外径、内径、近位端部、遠位端部及び内側ルーメンを備えたカテーテルを更に有し、前記ガイドワイヤの前記近位端部は、前記カテーテルが前記ガイドワイヤ及び前記フィルタの周りに同軸状に配置され、前記カテーテルが前記フィルタを配備するよう摺動自在に引っ込められるまで前記カテーテルの前記遠位端部内へ摺動自在に挿入可能であることを特徴とする参考例（Ａ）記載の血管フィルタシステム。
（１４）前記ガイドワイヤは、ニッケル−チタン合金で作られていることを特徴とする実施態様（１３）記載の血管フィルタシステム。
（１５）前記カテーテルは、ポリマー材料で作られていることを特徴とする実施態様（１３）記載の血管フィルタシステム。
【００４２】
（１６）前記移動防止手段は、前記ストラットに取り付けられたフックから成ることを特徴とする参考例（Ａ）記載の血管フィルタシステム。
（１７）前記移動防止手段は、前記ストラットの幾何学的設計から得られる摩擦力から成ることを特徴とする参考例（Ａ）記載の血管フィルタシステム。
（１８）前記移動防止手段は、前記フィルタ支持構造体に設けられた摩擦被膜から成ることを特徴とする参考例（Ａ）記載の血管フィルタシステム。
（１９）前記移動防止手段は、前記フィルタ支持構造体に施された表面処理剤から成ることを特徴とする参考例（Ａ）記載の血管フィルタシステム。
（２０）前記回収手段は、罠掛け部と、前記フィルタの前記近位端部に設けられた罠掛け可能な特徴部とから成ることを特徴とする参考例（Ａ）記載の血管フィルタシステム。
【００４３】
（２１）前記罠掛け部は、ニッケル−チタン合金で作られていることを特徴とする実施態様（２０）記載の血管フィルタシステム。
（２２）前記回収手段は、外径、近位端部及び遠位端部を備えたガイドワイヤを有し、前記回収手段は、前記ガイドワイヤの前記遠位端部の近くに取り付けられたフック及び前記フィルタの前記近位端部の近くに取り付けられたフックを更に有していることを特徴とする参考例（Ａ）記載の血管フィルタシステム。
（２３）前記フックは、Ｃ字形の形態をしていることを特徴とする実施態様（２２）記載の血管フィルタシステム。
（２４）前記フックは、Ｔ字形の形態をしていることを特徴とする実施態様（２２）記載の血管フィルタシステム。
（２５）前記回収手段は、外径、近位端部及び遠位端部を備えたワイヤを有し、前記回収手段は、前記ワイヤの前記遠位端部の近くに取り付けられたボール及び前記フィルタの前記近位端部の近くに取り付けられたレシーバを更に有していることを特徴とする参考例（Ａ）記載の血管フィルタシステム。
【００４４】
（２６）前記回収手段は、前記フィルタへの着脱が可能なガイドワイヤから成ることを特徴とする参考例（Ａ）記載の血管フィルタシステム。
（２７）前記フックは、Ｃ字形の形態をしていることを特徴とする参考例（Ｄ）記載の血管フィルタシステム。
（２８）前記フックは、Ｔ字形の形態をしていることを特徴とする参考例（Ｄ）記載の血管フィルタシステム。
【００４５】
【発明の効果】
請求項に記載された本発明の構成によれば、フィルタは手技中、ルーメン内に静止したままであり、それにより管腔の潜在的な損傷の恐れが最小限に抑えられると共に手技中に捕捉された塞栓粒子の放出の恐れが最小限に抑えられる。また、フィルタとガイドワイヤが一体ユニットになっていないので、オペレータは、手技の初めから終わりまでの間、必要に応じて何時でも自由にガイドワイヤを交換できる。
【図面の簡単な説明】
【図１】本発明の解放可能且つ回収可能な血管フィルタシステムの例示の実施形態の部分拡大断面図であり、フィルタが拡張位置にあり、移動防止手段が、ニッケル−チタン合金の不断の外向きの力である特徴を示す図である。
【図２】本発明の解放可能且つ回収可能な血管フィルタシステムの例示の実施形態の部分断面図であり、配備及び解放機構が、カテーテルと栓子とから成る状態を示す図である。
【図３】本発明の解放可能且つ回収可能な血管フィルタシステムの例示の実施形態の部分断面図であり、貯蔵管及びフィルタがカテーテル内へ挿入された状態を示す図である。
【図４】（Ａ），（Ｂ）は本発明の解放可能且つ回収可能な血管フィルタシステムの例示の実施形態の部分断面図であり、栓子がフィルタをカテーテルから押し出している状態を示す図である。
【図５】本発明の解放可能且つ回収可能な血管フィルタシステムの例示の実施形態の部分拡大断面図であり、ボールフック回収システムを用いている状態を示す図である。
【図６】本発明の解放可能且つ回収可能な血管フィルタシステムの例示の実施形態の部分拡大断面図であり、ボールフック回収システムを用いている状態を示す図である。
【図７】本発明の解放可能且つ回収可能な血管フィルタシステムの例示の実施形態の部分拡大断面図であり、ボールフック回収システムを用いている状態を示す図である。
【図８】本発明の解放可能且つ回収可能な血管フィルタシステムの例示の実施形態の部分拡大断面図であり、ボールフック回収システムを用いている状態を示す図である。
【図９】（Ａ）は本発明の解放可能且つ回収可能な血管フィルタシステムの例示の実施形態の部分拡大断面図であり、ボールフック回収システムを用いている状態を示す図である。（Ｂ）は本発明の解放可能且つ回収可能な血管フィルタシステムの例示の実施形態の部分概略平面図及び側面図であり、移動防止手段の適当な形態を示す図である。（Ｃ）は本発明の解放可能且つ回収可能な血管フィルタシステムの例示の実施形態の部分概略平面図及び側面図であり、移動防止手段の適当な形態を示す図である。（Ｄ）は本発明の解放可能且つ回収可能な血管フィルタシステムの例示の実施形態の部分概略平面図及び側面図であり、移動防止手段の適当な形態を示す図である。（Ｅ）は本発明の解放可能且つ回収可能な血管フィルタシステムの例示の実施形態の部分概略平面図及び側面図であり、移動防止手段の適当な形態を示す図である。
【図１０】本発明の解放可能且つ回収可能な血管フィルタシステムの例示の実施形態の部分拡大断面図であり、カテーテルがフィルタを配備するために引っ込められている状態を示す図である。
【図１１】本発明の解放可能且つ回収可能な血管フィルタシステムの例示の実施形態の部分拡大断面図であり、カテーテルがフィルタを配備するために引っ込められている状態を示す図である。
【図１２】本発明の解放可能且つ回収可能な血管フィルタシステムの例示の実施形態の部分拡大断面図であり、カテーテルがフィルタを配備するために引っ込められている状態を示す図である。
【図１３】（Ａ），（Ｂ），（Ｃ）は本発明の解放可能且つ回収可能な血管フィルタシステムの例示の実施形態の部分拡大断面図であり、フィルタを配備するためにカテーテルが引っ込められると共にガイドワイヤが解除されている状態を示す図である。
【図１４】（Ａ），（Ｂ），（Ｃ）は本発明に従って、ガイドワイヤ及びフィルタに設けられた互いにつがい関係をなす特徴部の例示の実施形態の部分拡大断面図である。
【図１５】（Ａ），（Ｂ），（Ｃ）は本発明の解放可能且つ回収可能な血管フィルタシステムの例示の実施形態の部分拡大断面図であり、フィルタを回収するために罠掛け部が用いられている状態を示す図である。
【図１６】本発明に従ってフィルタに設けられた罠掛け可能な特徴部の例示の実施形態の部分拡大図断面図である。
【符号の説明】
１０  フィルタ
４０  ストラット
５０  多孔質フィルタメンブレン
６５  貯蔵管
７０  カテーテル
１００  栓子
１３０  ボールフック型回収システム
１４０  ワイヤ
１７０  ボール
１８０  レシーバ
２１０  ガイドワイヤ
２１５  シース
２２０，２３０  つがい特徴部
【図１】
0004417011.tif 000002
【図２】
0004417011.tif 000003
【図３】
0004417011.tif 000004
【図４】
0004417011.tif 000005
【図５】
0004417011.tif 000006
【図６】
0004417011.tif 000007
【図７】
0004417011.tif 000008
【図８】
0004417011.tif 000009
【図９】
0004417011.tif 000010
【図１０】
0004417011.tif 000011
【図１１】
0004417011.tif 000012
【図１２】
0004417011.tif 000013
【図１３】
0004417011.tif 000014
【図１４】
0004417011.tif 000015
【図１５】
0004417011.tif 000016
【図１６】
0004417011.tif 000017